【手続補正書】
【提出日】平成30年11月14日(2018.11.14)
【手続補正１】
【補正対象書類名】特許請求の範囲
【補正対象項目名】全文
【補正方法】変更
【補正の内容】
【特許請求の範囲】
【請求項１】
特に隅照明大面積照明器具のためのコリメート光を発するための光源であって、
複数の導光ストリップを有する導光ユニットと、
複数の発光ユニットと、
コリメーションユニットと、
を備え、
前記導光ストリップはともに、前記導光ユニットのために、主前面、主後面、および少なくとも１つの結合面を画定し、
前記複数の導光ストリップの各導光ストリップは、
前記少なくとも１つの側方結合面において受けられる光を誘導するように構成され、かつ、
光を通過させるために、前記主前面に複数の局在化光源領域を備え、前記光源領域は、非光源領域内で前記導光ストリップに沿って設けられ、
前記複数の発光ユニットは、
前記少なくとも１つの結合面のそれぞれの部分を通じて前記導光ストリップに光を放出し、
前記コリメーションユニットは、
前記主前面に沿って延伸し、複数のコリメート素子を備え、
各コリメート素子は、
入力側および出力側を備え、
前記複数の光源領域のうちの１つに光学的に関連付けられており、
入力側において前記関連付けられている光源領域から現れる光を受け、出力側において形成される、それぞれのコリメート光放出領域からコリメート光を放出するように構成されている、
光源。
【請求項２】
前記複数のコリメート素子は、前記複数の導光ストリップの各々について、
前記光源領域の位置において主前面の側部と整列されている入力側を有する複数の複合放物面型集光器またはＴＩＲレンズと、
前記複合放物面型集光器またはＴＩＲレンズとそれぞれ関連付けられている複数の二次レンズと
の少なくとも一方を備える、
請求項１に記載の光源。
【請求項３】
前記複数の複合放物面型集光器またはＴＩＲレンズのうちの１つとそれぞれ関連付けられており、それぞれの前記入力側に位置決めされている複数の下方変換素子、
をさらに備えた請求項２に記載の光源。
【請求項４】
前記複数の複合放物面型集光器またはＴＩＲレンズは、前記発光ユニットから放出される前記光の波長に対して反射性であるそれぞれの二色性反射出力面を備えた、
請求項３に記載の光源。
【請求項５】
前記複数の発光ユニットは、約０．２５ｍｍ×０．２５ｍｍの発光面を有する複数の発光ダイオードを備え、前記複数の導光ストリップは、約０．３ｍｍ×０．３ｍｍの範囲内の矩形断面を備え、
または、
前記光源領域は各々、約１００μｍの直径を有する円形形状を有し、約３ｍｍ〜約６ｍｍの範囲内のピッチでそれぞれの導光ストリップに沿って整列されている、
請求項１ないし４のいずれか１項に記載の光源。
【請求項６】
前記複数のコリメート素子の前記コリメート光は、５°以下の範囲内、または４°以下の範囲内、または２°以下の範囲内の全幅ビーム角を有する低発散光ビームを形成する、
請求項１ないし５のいずれか１項に記載の光源。
【請求項７】
隅照明大面積照明器具のためのコリメート光を発するための光源であって、
導光ユニットと、
複数の発光ユニットと、
コリメーションユニットと、
を備え、
前記導光ユニットは、
主前面、主後面、および前記主前面と前記主後面とを厚さ方向（ｄＴ）において接続する少なくとも１つの側方結合面を有し、
前記導光ユニットは、前記主前面と前記主後面との間の内部全反射によって、前記少なくとも１つの側方結合面において受けられる光を誘導するように構成されており、
前記主前面は、光を通過させるために、複数の局在化光源領域を備え、前記光源領域は、非光源領域内で実質的に均一に設けられ、
前記複数の発光ユニットは、
前記少なくとも１つの結合面を通じて前記導光ユニットに光を放出し、
前記コリメーションユニットは、
前記主前面に沿って延伸し、複数のコリメート素子を備え、各コリメート素子は、入力側および出力側を備え、前記複数の光源領域のうちの１つと光学的に関連付けられ、入力側において、関連付けられている前記光源領域から現れる光を受け、出力側において形成される、それぞれのコリメート光放出領域からコリメート光を放出するように構成されている、
光源。
【請求項８】
前記光源領域は、前記主前面の少なくとも複数の区画における前記非光源領域にわたる、規則的な格子構造または実質的に規則的なパターンにおいて設けられた、
請求項７に記載の光源。
【請求項９】
前記規則的な格子構造は、１つまたは複数のタイプの格子ユニットに基づいており、各タイプの格子ユニットは、本質的に同一の寸法を有する、
または、
格子ユニットの形状は、等しい距離にある複数の点、もしくは三角形格子ユニットの等しい距離にある複数の点、もしくは正方形格子ユニットの等しい距離にある複数の点を備えている、
請求項８に記載の光源。
【請求項１０】
前記複数の光源領域は、
光伝播方向に対して等しい距離をおいて、前記非光源領域にわたって分散されており、または、
導光ストリップの長さ方向において等しい距離をおいて拡散される、もしくは前記長さ方向に沿って規則的に設けられている、
請求項７ないし９のいずれか１項に記載の光源。
【請求項１１】
前記主前面の面積および／または前記非光源領域の面積に対する、前記複数の光源領域の面積の比は、２０％以下、または１６％以下、または１５％以下、または１０％以下、または５％以下、または２％以下、または０．２％以下、または数パーセント以下である、
請求項７ないし１０のいずれか１項に記載の光源。
【請求項１２】
前記導光ユニットは、逆伝播光を前記導光ユニットに結合するために、各々が前記複数の発光ユニットの発光ユニットのサブグループと関連付けられている２つの対向する側方光結合面を備える、
請求項７ないし１１のいずれか１項に記載の光源。
【請求項１３】
連続的な発光面は、前記コリメート光放出領域によって形成され、前記連続的な発光面は、コリメート光放出領域の間の非発光領域を含み、前記非発光領域と前記コリメート光放出領域との間の面積比は、本質的に、前記光源の前記発光面にわたって一定である、
請求項７ないし１２のいずれか１項に記載の光源。
【請求項１４】
隣接する光源領域間の光伝播方向におけるピッチ距離は、０．５ｍｍ〜５０ｍｍの範囲内、または約３ｍｍ、または６ｍｍである、
請求項７ないし１３のいずれか１項に記載の光源。
【請求項１５】
前記光源、または前記導光ユニットは、前記光源領域から放出される光束が、前記非光源領域を通じた任意の漏れ光束の少なくとも１０倍または少なくとも２０倍またはさらには５０倍超であるように構成された、
請求項７ないし１４のいずれか１項に記載の光源。
【請求項１６】
前記光源は、前記非光源領域内に分散されており、特に前記非光源領域によって実質的に囲まれている、
請求項７ないし１５のいずれか１項に記載の光源。
【請求項１７】
前記主前面の形状によって規定される方向における前記導光ユニットの延伸は、前記厚さ方向（ｄＴ）における前記導光ユニットの厚さよりもはるかに大きく、
または、
前記導光ユニットは、１ｍｍ〜５ｍｍの範囲内の厚さを有するとともに、側方延伸が０．０５ｍ〜３ｍの範囲内または０．１ｍ〜２ｍの範囲内の直径、幅、または長さを有するパネル形状である、
請求項７ないし１６のいずれか１項に記載の光源。
【請求項１８】
前記主前面および前記主後面は、対向しており、本質的に互いに平行である、
請求項７ないし１７のいずれか１項に記載の光源。
【請求項１９】
前記導光ユニットは、複数の導光ストリップを備え、各導光ストリップは、前記複数の発光ユニットのうちの少なくとも１つ、および、前記複数の光源領域のサブグループに光学的に結合されている少なくとも１つの側方結合面区画を備え、
または、
前記導光ユニットは、複数の導光ストリップを備え、各導光ストリップは、前記複数の発光ユニットのうちの少なくとも１つ、および、前記複数の光源領域のサブグループに光学的に結合されている少なくとも１つの側方結合面区画を備え、前記サブグループは、前記導光ストリップに沿って等しい距離をおいて直線的に配列された、
請求項７ないし１８のいずれか１項に記載の光源。
【請求項２０】
前記導光ストリップは、０．１ｍｍ〜５ｍｍの範囲内の厚さ、０．１ｍｍ〜５ｍｍの範囲内の横幅を有する矩形断面を有し、
または、
前記導光ストリップは、３００μｍ×３００μｍの断面、および、０．１ｍ〜２ｍの範囲内の長さを有する、
請求項７ないし１９のいずれか１項に記載の光源。
【請求項２１】
複数の導光ストリップは、前記導光ユニットの前記主後面と関連付けられている前記導光ストリップのそれぞれの側部において基板に取り付けられている、
請求項７ないし２０のいずれか１項に記載の光源。
【請求項２２】
前記光源領域は、１０μｍ〜５００μｍの範囲内、または約１００μｍの側方延伸を有する、
請求項７ないし２１のいずれか１項に記載の光源。
【請求項２３】
前記光源領域は、光源について最大２ｍｍまたはさらには最大３ｍｍの範囲内の側方延伸を有し、
または、
前記光源領域は、狭い扇形の一次光を与えられる導光ユニット、または、長い距離を観察するように構成されている光源について、最大２ｍｍまたはさらには最大３ｍｍの範囲内の側方延伸を有する、
請求項７ないし２２のいずれか１項に記載の光源。
【請求項２４】
前記コリメート光放出領域は、０．５ｍｍ〜５０ｍｍの範囲内の側方延伸を有する、
請求項７ないし２３のいずれか１項に記載の光源。
【請求項２５】
前記複数のコリメート素子の厚さ範囲は、１ｍｍ〜０．３ｍの範囲内である、
請求項７ないし２４のいずれか１項に記載の光源。
【請求項２６】
前記導光ユニットの厚さ範囲は、１ｍｍ〜５ｍｍの範囲内である、
請求項７ないし２５のいずれか１項に記載の光源。
【請求項２７】
隣接するコリメート素子と関連付けられるコリメート素子に対して光源領域から入る光の量を低減するように、コリメート素子の間にかつ／またはコリメート素子に沿って延伸するクロストーク低減バッフル構造、
をさらに備える、
請求項７ないし２６のいずれか１項に記載の光源。
【請求項２８】
前記主前面に沿ってコリメート素子の間に延伸する前方漏れ遮断構造、
をさらに備える、
請求項７ないし２７のいずれか１項に記載の光源。
【請求項２９】
前記主後面に沿って延伸し、特にヒートシンクとして構成されている後方漏れ遮断構造、
をさらに備える、
請求項７ないし２８のいずれか１項に記載の光源。
【請求項３０】
前記複数の発光ユニットのうちの少なくとも１つは、４０°未満、または約３０°以下、または約２０°以下、または約１０°以下の前記導光ユニット内での角度範囲をもたらす角度範囲にわたる発光を有する発光デバイスを備える、
請求項７ないし２９のいずれか１項に記載の光源。
【請求項３１】
前記角度範囲は、入力光中心方向によって特徴付けられ、前記入力光中心方向は、導光ユニットの前記主前面または前記主後面に対する法線に対して、ＴＩＲの角度と前記角度範囲の半分との合計の角度だけ傾けられている、
請求項７ないし３０のいずれか１項に記載の光源。
【請求項３２】
前記複数の発光ユニットのうちの少なくとも１つは、白色発光スペクトルを含む、または、様々な発光スペクトルを含む、
請求項７ないし３１のいずれか１項に記載の光源。
【請求項３３】
蛍光体化合物、または量子ドット領域、または複数の下方変換素子、をさらに備え、それぞれの前記蛍光体化合物または前記量子ドット領域または前記下方変換素子は、光源領域と関連付けられている、
請求項７ないし３２のいずれか１項に記載の光源。
【請求項３４】
前記複数の下方変換素子のうちの下方変換素子は、
前記光源領域を通過した光を受けるように位置決めされており、または、
前記光源領域を通過した光から光を生成し、または、
前記光源領域を通過するための光を生成するために、前記主前面もしくは前記主後面に隣接して位置決めされており、または、
前記コリメーションユニットのそれぞれのコリメート素子の入力側に位置決めされている、
請求項７ないし３２のいずれか１項に記載の光源。
【請求項３５】
それぞれ光源領域と関連付けられている複数の反射構造をさらに備え、
前記複数の反射構造のうちの反射構造は、
前記光源領域を通過するように光を反射するように位置決めおよび構成されており、または、
それぞれの下方変換素子へと光を反射するように位置決めおよび構成されており、または、
集束反射器として構成されている、
請求項７ないし３４のいずれか１項に記載の光源。
【請求項３６】
それぞれ光源領域と関連付けられている複数の反射構造をさらに備え、
前記複数の反射構造のうちの反射構造は、対向する方向から前記反射構造に落ちる光を、同様の抽出方向において前記光源領域を通過するように反射するように位置決めおよび構成された、
請求項７ないし３５のいずれか１項に記載の光源。
【請求項３７】
それぞれ光源領域と関連付けられている複数の反射構造をさらに備え、
前記複数の反射構造のうちの反射構造は、前記主後面上に形成されている反射プリズムとして構成された、
請求項７ないし３６のいずれか１項に記載の光源。
【請求項３８】
それぞれ光源領域と関連付けられている複数の反射構造をさらに備え、
前記複数の反射構造のうちの反射構造は、側部から見たときに三角形断面を有し、それぞれの前記コリメート素子から見たときに円形断面を有する、
請求項７ないし３７のいずれか１項に記載の光源。
【請求項３９】
前記複数のコリメート素子のうちの少なくとも１つは、屈折光学素子、または反射光学素子、または１つもしくは複数のレンズ、または１つもしくは複数のＴＩＲレンズ、またはレンズもしくはフレネルレンズが後続する１つもしくは複数のＴＩＲレンズ、または複合放物面型集光器、またはレンズもしくはフレネルレンズが後続する複合放物面型集光器、を含む、
請求項７ないし３８のいずれか１項に記載の光源。
【請求項４０】
前記複数のコリメート素子のうちの少なくとも１つは、
コリメート光放出領域のための円形もしくは多角形の基部形状開口を含み、もしくは、
コリメート光放出領域のための三角形形状、もしくは二次形状、もしくは六角形形状を含み、
または、
前記コリメートユニットは、それぞれの位置において前記コリメート素子を保持するための基部構造を備え、
または、
前記コリメートユニットは、それぞれの位置において前記コリメート素子を保持するための基部構造を備え、かつ、前記基部構造は、前記バッフル構造として構成されている、
請求項７ないし３９のいずれか１項に記載の光源。
【請求項４１】
前記コリメート光放出領域によって形成されている発光面をさらに備え、または、
前記コリメート素子の入力側は、前記複数の光源領域のうちの１つと光学的に関連付けられている、
請求項７ないし４０のいずれか１項に記載の光源。
【請求項４２】
前記複数のコリメート素子のうちの少なくとも１つは、前記発光面に対して直角または傾けられている、前記コリメート光の伝播のための少なくとも１つの主光ビーム伝播軸を提供するように構成される、
または、
すべてのコリメート素子は、同じ主方向をもたらすように構成される、
または、
直接光の傾きは、互いに対する、もしくは、前記光源領域に対する、前記コリメート素子の構成要素の光軸の変位によって生成される、
または、
直接光の傾きは、複合放物面型集光器、もしくはＴＩＲレンズおよびフレネルレンズの変位によって生成される、
請求項７ないし４１のいずれか１項に記載の光源。
【請求項４３】
請求項７ないし４２のいずれか１項に記載の光源と、
マトリックス内に埋め込まれている複数のナノ粒子を備え、青色よりも赤色においてより大きい直接透過、および、赤色よりも青色においてより大きい拡散透過を可能にするように構成されている色拡散層であって、前記色拡散層は、前記コリメート光によって照明されるように位置決めされ、または、前記コリメーションユニットの前記入力側もしくは前記出力側の下流に位置決めされ、または、前記光源領域の下流に位置決めされる、色拡散層と、
を備えた隅照明大面積照明器具。
【請求項４４】
前記発光面は、
前記コリメート光放出領域によって形成され、
前記発光ユニットは、一次光を放出するように構成されており、前記一次光は、前記導光ユニット内を伝播する間に前記一次光によって累積されるスペクトル損失を補償するスペクトル分布を有し、または、
前記発光ユニットは、前記導光ユニット内を伝播している間に前記一次光によって累積される損失を補償し、前記発光面の面積部分あたりの輝度が基本的に均質であるように、同等の光源領域において同等の光抽出を可能にするための、前記導光ユニット内の逆伝播光を生成するためのサブグループを備える、
請求項７ないし４２のいずれか１項に記載の光源。
【請求項４５】
前記光源、または前記コリメーションユニット、または前記コリメート素子のそれぞれは、前記光源の発光面の法線に対して傾いている主光ビーム方向をもたらすように構成されている、
請求項７ないし４２または４４のいずれか１項に記載の光源。